(57)【要約】【課題】繰り返し閲覧した商品の価格の計算単位を変化させて表示することにより、ユーザに商品の価値を実感させやすくする。【解決手段】閲覧回数処理部１６１は、ウェブページがユーザによって閲覧された回数を取得する。価格計算部１６３は、閲覧の回数が増える毎に増加する使用回数で商品の価格を割り算して、使用当たり価格を算出する。基礎物品相当数計算部１６４は、商品に対応して予め決められている基礎物品の価格で使用当たり価格を割り算して、使用当たり価格を基礎物品の相当する数で表す基礎物品相当数を算出する。Webサーバ機能６１は、使用回数だけ商品が使用された場合、１回の使用当たりの商品の価格が基礎物品相当数の基礎物品に相当することを表示させる表示データが含まれるウェブページのデータをユーザの端末装置に送信する。本発明はサーバに適用できる。【選択図】図１０
2011113497.tif 000002
【特許請求の範囲】
【請求項１】
所定の商品を販売するための所定のウェブページが所定のユーザによって過去に閲覧されたか否かを判定する判定手段と、
前記判定手段において前記ウェブページが前記ユーザによって過去に閲覧されていないと判定された場合、前記商品に対応して予め決められている使用可能期間に対する前記使用可能期間より短い第１の区間の割合と、前記商品の価格とを乗算することにより得られる、前記第１の区間に応じた第１の区間価格を算出する価格算出手段と、
前記商品に対応して基礎物品及びその価格が予め決められており、当該基礎物品の価格で前記第１の区間価格を割り算することで、前記第１の区間価格に前記基礎物品が相当する数である第１の基礎物品相当数を算出する相当数算出手段と、
前記第１の区間当たりの前記商品の価格が前記基礎物品の前記第１の基礎物品相当数分に相当することを表示させる表示データが含まれる前記ウェブページのデータを前記ユーザの端末装置に送信する送信手段と
を備え、
前記価格算出手段は、前記判定手段において前記ウェブページが前記ユーザによって過去に閲覧されたと判定された場合、前記使用可能期間に対する前記第１の区間より短い第２の区間の割合と、前記商品の価格とを乗算することにより得られる、前記第２の区間に応じた第２の区間価格を算出し、
前記相当数算出手段は、前記基礎物品の価格で前記第２の区間価格を割り算することで、前記第２の区間価格に前記基礎物品が相当する数である第２の基礎物品相当数を算出し、
前記送信手段は、前記第２の区間当たりの前記商品の価格が前記基礎物品の前記第２の基礎物品相当数分に相当することを表示させる表示データが含まれる前記ウェブページのデータを前記ユーザの前記端末装置に送信する
情報提供装置。
【請求項２】
請求項１に記載の情報提供装置において、
前記判定手段は、前記ウェブページが前記ユーザによって過去の所定の期間において閲覧されたか否かを判定する
情報提供装置。
【請求項３】
請求項１に記載の情報提供装置において、
前記送信手段は、前記第１の基礎物品相当数または前記第２の基礎物品相当数の前記基礎物品の画像を表示させる前記表示データが含まれる前記ウェブページのデータを前記ユーザの前記端末装置に送信する
情報提供装置。
【請求項４】
請求項１〜３の何れか一項に記載の情報提供装置において、
前記表示データは、前記第１の区間、前記第１の区間価格、前記第１の基礎物品相当数、前記基礎物品に関する情報、及び前記基礎物品の価格を含む
情報提供装置。
【請求項５】
所定の商品を販売するための所定のウェブページが所定のユーザによって過去に閲覧されたか否かを判定する判定ステップと、
前記判定ステップにおいて前記ウェブページが前記ユーザによって過去に閲覧されていないと判定された場合、前記商品に対応して予め決められている使用可能期間に対する前記使用可能期間より短い第１の区間の割合と、前記商品の価格とを乗算することにより得られる、前記第１の区間に応じた第１の区間価格を算出する価格算出ステップと、
前記商品に対応して基礎物品及びその価格が予め決められており、当該基礎物品の価格で前記第１の区間価格を割り算することで、前記第１の区間価格に前記基礎物品が相当する数である第１の基礎物品相当数を算出する相当数算出ステップと、
前記第１の区間当たりの前記商品の価格が前記基礎物品の前記第１の基礎物品相当数分に相当することを表示させる表示データが含まれる前記ウェブページのデータを前記ユーザの端末装置に送信する送信ステップと
を含み、
前記価格算出ステップにおいて、前記判定ステップにおいて前記ウェブページが前記ユーザによって過去に閲覧されたと判定された場合、前記使用可能期間に対する前記第１の区間より短い第２の区間との割合と、前記商品の価格とを乗算することにより得られる、前記第２の区間に応じた第２の区間価格が算出され、
前記相当数算出ステップにおいて、前記基礎物品の価格で前記第２の区間価格を割り算することで、前記第２の区間価格に前記基礎物品が相当する数である第２の基礎物品相当数が算出され、
前記送信ステップにおいて、前記第２の区間当たりの前記商品の価格が前記基礎物品の前記第２の基礎物品相当数分に相当することを表示させる表示データが含まれる前記ウェブページのデータが前記ユーザの前記端末装置に送信される
情報提供方法。
【請求項６】
所定の商品を販売するための所定のウェブページが所定のユーザによって過去に閲覧されたか否かを判定する判定ステップと、
前記判定ステップにおいて前記ウェブページが前記ユーザによって過去に閲覧されていないと判定された場合、前記商品に対応して予め決められている使用可能期間に対する前記使用可能期間より短い第１の区間との割合と、前記商品の価格とを乗算することにより得られる、前記第１の区間に応じた第１の区間価格を算出する価格算出ステップと、
前記商品に対応して基礎物品及びその価格が予め決められており、当該基礎物品の価格で前記第１の区間価格を割り算することで、前記第１の区間価格に前記基礎物品が相当する数である第１の基礎物品相当数を算出する相当数算出ステップと、
前記第１の区間当たりの前記商品の価格が前記基礎物品の前記第１の基礎物品相当数分に相当することを表示させる表示データが含まれる前記ウェブページのデータを前記ユーザの端末装置に送信する送信ステップと
を含む処理であって、
前記価格算出ステップにおいて、前記判定ステップにおいて前記ウェブページが前記ユーザによって過去に閲覧されたと判定された場合、前記使用可能期間に対する前記第１の区間より短い第２の区間との割合と、前記商品の価格とを乗算することにより得られる、前記第２の区間に応じた第２の区間価格が算出され、
前記相当数算出ステップにおいて、前記基礎物品の価格で前記第２の区間価格を割り算することで、前記第２の区間価格に前記基礎物品が相当する数である第２の基礎物品相当数が算出され、
前記送信ステップにおいて、前記第２の区間当たりの前記商品の価格が前記基礎物品の前記第２の基礎物品相当数分に相当することを表示させる表示データが含まれる前記ウェブページのデータが前記ユーザの前記端末装置に送信される
処理をコンピュータに実行させるプログラム。
【請求項７】
所定の商品を販売するための所定のウェブページが所定のユーザによって閲覧された回数を取得する回数取得手段と、
仮に設定された前記商品の使用回数であって、閲覧の回数が増える毎に増加する使用回数で、前記商品の価格を割り算することにより得られる、前記商品の１回の使用に応じた使用当たり価格を算出する価格算出手段と、
前記商品に対応して基礎物品及びその価格が予め決められており、当該基礎物品の価格で前記使用当たり価格を割り算することで、前記使用当たり価格に前記基礎物品が相当する数である基礎物品相当数を算出する相当数算出手段と、
前記使用回数だけ前記商品が使用された場合、１回の使用当たりの前記商品の価格が前記基礎物品の前記基礎物品相当数分に相当することを表示させる表示データが含まれる前記ウェブページのデータを前記ユーザの端末装置に送信する送信手段と
を備える情報提供装置。
【請求項８】
請求項７に記載の情報提供装置において、
前記回数取得手段は、過去の所定の期間において前記ウェブページが前記ユーザによって閲覧された回数を取得する
情報提供装置。
【請求項９】
請求項７に記載の情報提供装置において、
前記送信手段は、前記基礎物品相当数の前記基礎物品の画像を表示させる前記表示データが含まれる前記ウェブページのデータを前記ユーザの前記端末装置に送信する
情報提供装置。
【請求項１０】
請求項７〜９の何れか一項に記載の情報提供装置において、
前記表示データは、前記第１の区間、前記第１の区間価格、前記第１の基礎物品相当数、前記基礎物品に関する情報、及び前記基礎物品の価格を含む
情報提供装置。
【請求項１１】
所定の商品を販売するための所定のウェブページが所定のユーザによって閲覧された回数を取得する回数取得ステップと、
仮に設定された前記商品の使用回数であって、閲覧の回数が増える毎に増加する使用回数で、前記商品の価格を割り算することにより得られる、前記商品の１回の使用に応じた使用当たり価格を算出する価格算出ステップと、
前記商品に対応して基礎物品及びその価格が予め決められており、当該基礎物品の価格で前記使用当たり価格を割り算することで、前記使用当たり価格に前記基礎物品が相当する数である基礎物品相当数を算出する相当数算出ステップと、
前記使用回数だけ前記商品が使用された場合、１回の使用当たりの前記商品の価格が前記基礎物品の前記基礎物品相当数分に相当することを表示させる表示データが含まれる前記ウェブページのデータを前記ユーザの端末装置に送信する送信ステップと
を含む情報提供方法。
【請求項１２】
所定の商品を販売するための所定のウェブページが所定のユーザによって閲覧された回数を取得する回数取得ステップと、
仮に設定された前記商品の使用回数であって、閲覧の回数が増える毎に増加する使用回数で、前記商品の価格を割り算することにより得られる、前記商品の１回の使用に応じた使用当たり価格を算出する価格算出ステップと、
前記商品に対応して基礎物品及びその価格が予め決められており、当該基礎物品の価格で前記使用当たり価格を割り算することで、前記使用当たり価格に前記基礎物品が相当する数である基礎物品相当数を算出する相当数算出ステップと、
前記使用回数だけ前記商品が使用された場合、１回の使用当たりの前記商品の価格が前記基礎物品の前記基礎物品相当数分に相当することを表示させる表示データが含まれる前記ウェブページのデータを前記ユーザの端末装置に送信する送信ステップと
を含む処理をコンピュータに実行させるプログラム。
【発明の詳細な説明】
【技術分野】
【０００１】
本発明は情報提供装置および方法、並びにプログラムに関し、特に、商品を販売するウェブページを提供する情報提供装置および方法、並びにプログラムに関する。
【背景技術】
【０００２】
近年、多種多様の商品がウェブページにおいて販売されている。また、比較的高価な商品もウェブページにおいて販売されるようになってきた。
【０００３】
従来、通常の通貨単位を有する基準電子マネーの通貨単位を独自の通貨単位に変更するための換算率である通貨レートを設定する通貨レート・通貨単位設定手段と、前記通貨レートと独自の通貨単位を有するオリジナル電子マネーを発行する電子マネー発行部と、当該オリジナル電子マネーを識別するための識別情報を含む電子マネー情報とを備え、任意に設定可能な通貨レートと独自の通貨単位を有するオリジナル電子マネーを発行してウェブサイト上における商取引を行うオリジナル電子マネーシステムが提案されている（例えば、特許文献１参照）。
【先行技術文献】
【特許文献】
【０００４】
【特許文献１】特開２００３−７６８５１号公報
【発明の概要】
【発明が解決しようとする課題】
【０００５】
しかしながら、通貨単位を変更することはできたが、商品を販売しているEC（electronic commerce）サイトを訪れて商品の購入を迷っている顧客に対して価値判断の尺度を変えてアプローチすることはできなかった。
【０００６】
本発明は、このような状況に鑑みてなされたものであり、繰り返し閲覧した商品の価格の計算単位を変化させて表示することにより、ユーザに商品の価値を実感させやすくするものである。
【課題を解決するための手段】
【０００７】
本発明の第１の側面の情報提供装置は、所定の商品を販売するための所定のウェブページが所定のユーザによって過去に閲覧されたか否かを判定する判定手段と、前記判定手段において前記ウェブページが前記ユーザによって過去に閲覧されていないと判定された場合、前記商品に対応して予め決められている使用可能期間に対する前記使用可能期間より短い第１の区間の割合と、前記商品の価格とを乗算することにより得られる、前記第１の区間に応じた第１の区間価格を算出する価格算出手段と、前記商品に対応して基礎物品及びその価格が予め決められており、当該基礎物品の価格で前記第１の区間価格を割り算することで、前記第１の区間価格に前記基礎物品が相当する数である第１の基礎物品相当数を算出する相当数算出手段と、前記第１の区間当たりの前記商品の価格が前記基礎物品の前記第１の基礎物品相当数分に相当することを表示させる表示データが含まれる前記ウェブページのデータを前記ユーザの端末装置に送信する送信手段とを備え、前記価格算出手段は、前記判定手段において前記ウェブページが前記ユーザによって過去に閲覧されたと判定された場合、前記使用可能期間に対する前記第１の区間より短い第２の区間の割合と、前記商品の価格とを乗算することにより得られる、前記第２の区間に応じた第２の区間価格を算出し、前記相当数算出手段は、前記基礎物品の価格で前記第２の区間価格を割り算することで、前記第２の区間価格に前記基礎物品が相当する数である第２の基礎物品相当数を算出し、前記送信手段は、前記第２の区間当たりの前記商品の価格が前記基礎物品の前記第２の基礎物品相当数分に相当することを表示させる表示データが含まれる前記ウェブページのデータを前記ユーザの前記端末装置に送信する。
【０００８】
前記判定手段には、前記ウェブページが前記ユーザによって過去の所定の期間において閲覧されたか否かを判定させることができる。
【０００９】
前記送信手段には、前記第１の基礎物品相当数または前記第２の基礎物品相当数の前記基礎物品の画像を表示させる前記表示データが含まれる前記ウェブページのデータを前記ユーザの前記端末装置に送信させることができる。
前記表示データは、前記第１の区間、前記第１の区間価格、前記第１の基礎物品相当数、前記基礎物品に関する情報、及び前記基礎物品の価格を含んでいてもよい。
【００１０】
本発明の第１の側面の情報提供方法は、所定の商品を販売するための所定のウェブページが所定のユーザによって過去に閲覧されたか否かを判定する判定ステップと、前記判定ステップにおいて前記ウェブページが前記ユーザによって過去に閲覧されていないと判定された場合、前記商品に対応して予め決められている使用可能期間に対する前記使用可能期間より短い第１の区間の割合と、前記商品の価格とを乗算することにより得られる、前記第１の区間に応じた第１の区間価格を算出する価格算出ステップと、前記商品に対応して基礎物品及びその価格が予め決められており、当該基礎物品の価格で前記第１の区間価格を割り算することで、前記第１の区間価格に前記基礎物品が相当する数である第１の基礎物品相当数を算出する相当数算出ステップと、前記第１の区間当たりの前記商品の価格が前記基礎物品の前記第１の基礎物品相当数分に相当することを表示させる表示データが含まれる前記ウェブページのデータを前記ユーザの端末装置に送信する送信ステップとを含み、前記価格算出ステップにおいて、前記判定ステップにおいて前記ウェブページが前記ユーザによって過去に閲覧されたと判定された場合、前記使用可能期間に対する前記第１の区間より短い第２の区間との割合と、前記商品の価格とを乗算することにより得られる、前記第２の区間に応じた第２の区間価格が算出され、前記相当数算出ステップにおいて、前記基礎物品の価格で前記第２の区間価格を割り算することで、前記第２の区間価格に前記基礎物品が相当する数である第２の基礎物品相当数が算出され、前記送信ステップにおいて、前記第２の区間当たりの前記商品の価格が前記基礎物品の前記第２の基礎物品相当数分に相当することを表示させる表示データが含まれる前記ウェブページのデータが前記ユーザの前記端末装置に送信される。
【００１１】
本発明の第１の側面のプログラムは、所定の商品を販売するための所定のウェブページが所定のユーザによって過去に閲覧されたか否かを判定する判定ステップと、前記判定ステップにおいて前記ウェブページが前記ユーザによって過去に閲覧されていないと判定された場合、前記商品に対応して予め決められている使用可能期間に対する前記使用可能期間より短い第１の区間との割合と、前記商品の価格とを乗算することにより得られる、前記第１の区間に応じた第１の区間価格を算出する価格算出ステップと、前記商品に対応して基礎物品及びその価格が予め決められており、当該基礎物品の価格で前記第１の区間価格を割り算することで、前記第１の区間価格に前記基礎物品が相当する数である第１の基礎物品相当数を算出する相当数算出ステップと、前記第１の区間当たりの前記商品の価格が前記基礎物品の前記第１の基礎物品相当数分に相当することを表示させる表示データが含まれる前記ウェブページのデータを前記ユーザの端末装置に送信する送信ステップとを含む処理であって、前記価格算出ステップにおいて、前記判定ステップにおいて前記ウェブページが前記ユーザによって過去に閲覧されたと判定された場合、前記使用可能期間に対する前記第１の区間より短い第２の区間との割合と、前記商品の価格とを乗算することにより得られる、前記第２の区間に応じた第２の区間価格が算出され、前記相当数算出ステップにおいて、前記基礎物品の価格で前記第２の区間価格を割り算することで、前記第２の区間価格に前記基礎物品が相当する数である第２の基礎物品相当数が算出され、前記送信ステップにおいて、前記第２の区間当たりの前記商品の価格が前記基礎物品の前記第２の基礎物品相当数分に相当することを表示させる表示データが含まれる前記ウェブページのデータが前記ユーザの前記端末装置に送信される処理をコンピュータに実行させる。
【００１２】
本発明の第１の側面においては、所定の商品を販売するための所定のウェブページが所定のユーザによって過去に閲覧されたか否かが判定され、前記ウェブページが前記ユーザによって過去に閲覧されていないと判定された場合、前記商品に対応して予め決められている使用可能期間に対する前記使用可能期間より短い第１の区間の割合と、前記商品の価格とを乗算することにより得られる、前記第１の区間に応じた第１の区間価格を算出され、前記商品に対応して基礎物品及びその価格が予め決められており、当該基礎物品の価格で前記第１の区間価格を割り算することで、前記第１の区間価格に前記基礎物品が相当する数である第１の基礎物品相当数が算出され、前記第１の区間当たりの前記商品の価格が前記基礎物品の前記第１の基礎物品相当数分に相当することを表示させる表示データが含まれる前記ウェブページのデータが前記ユーザの端末装置に送信され、前記ウェブページが前記ユーザによって過去に閲覧されたと判定された場合、前記使用可能期間に対する前記第１の区間より短い第２の区間の割合と、前記商品の価格とを乗算することにより得られる、前記第２の区間に応じた第２の区間価格が算出され、前記基礎物品の価格で前記第２の区間価格を割り算することで、前記第２の区間価格に前記基礎物品が相当する数である第２の基礎物品相当数が算出され、前記第２の区間当たりの前記商品の価格が前記基礎物品の前記第２の基礎物品相当数分に相当することを表示させる表示データが含まれる前記ウェブページのデータが前記ユーザの前記端末装置に送信される。
【００１３】
本発明の第２の側面の情報提供装置は、所定の商品を販売するための所定のウェブページが所定のユーザによって閲覧された回数を取得する回数取得手段と、仮に設定された前記商品の使用回数であって、閲覧の回数が増える毎に増加する使用回数で、前記商品の価格を割り算することにより得られる、前記商品の１回の使用に応じた使用当たり価格を算出する価格算出手段と、前記商品に対応して基礎物品及びその価格が予め決められており、当該基礎物品の価格で前記使用当たり価格を割り算することで、前記使用当たり価格に前記基礎物品が相当する数である基礎物品相当数を算出する相当数算出手段と、前記使用回数だけ前記商品が使用された場合、１回の使用当たりの前記商品の価格が前記基礎物品の前記基礎物品相当数分に相当することを表示させる表示データが含まれる前記ウェブページのデータを前記ユーザの端末装置に送信する送信手段とを備える。
【００１４】
前記回数取得手段には、過去の所定の期間において前記ウェブページが前記ユーザによって閲覧された回数を取得させることができる。
【００１５】
前記送信手段には、前記基礎物品相当数の前記基礎物品の画像を表示させる前記表示データが含まれる前記ウェブページのデータを前記ユーザの前記端末装置に送信させることができる。
前記表示データは、前記第１の区間、前記第１の区間価格、前記第１の基礎物品相当数、前記基礎物品に関する情報、及び前記基礎物品の価格を含んでいてもよい。
【００１６】
本発明の第２の側面の情報提供方法は、所定の商品を販売するための所定のウェブページが所定のユーザによって閲覧された回数を取得する回数取得ステップと、仮に設定された前記商品の使用回数であって、閲覧の回数が増える毎に増加する使用回数で、前記商品の価格を割り算することにより得られる、前記商品の１回の使用に応じた使用当たり価格を算出する価格算出ステップと、前記商品に対応して基礎物品及びその価格が予め決められており、当該基礎物品の価格で前記使用当たり価格を割り算することで、前記使用当たり価格に前記基礎物品が相当する数である基礎物品相当数を算出する相当数算出ステップと、前記使用回数だけ前記商品が使用された場合、１回の使用当たりの前記商品の価格が前記基礎物品の前記基礎物品相当数分に相当することを表示させる表示データが含まれる前記ウェブページのデータを前記ユーザの端末装置に送信する送信ステップとを含む。
【００１７】
本発明の第２の側面のプログラムは、所定の商品を販売するための所定のウェブページが所定のユーザによって閲覧された回数を取得する回数取得ステップと、仮に設定された前記商品の使用回数であって、閲覧の回数が増える毎に増加する使用回数で、前記商品の価格を割り算することにより得られる、前記商品の１回の使用に応じた使用当たり価格を算出する価格算出ステップと、前記商品に対応して基礎物品及びその価格が予め決められており、当該基礎物品の価格で前記使用当たり価格を割り算することで、前記使用当たり価格に前記基礎物品が相当する数である基礎物品相当数を算出する相当数算出ステップと、前記使用回数だけ前記商品が使用された場合、１回の使用当たりの前記商品の価格が前記基礎物品の前記基礎物品相当数分に相当することを表示させる表示データが含まれる前記ウェブページのデータを前記ユーザの端末装置に送信する送信ステップとを含む処理をコンピュータに実行させる。
【００１８】
本発明の第２の側面においては、所定の商品を販売するための所定のウェブページが所定のユーザによって閲覧された回数が取得され、仮に設定された前記商品の使用回数であって、閲覧の回数が増える毎に増加する使用回数で、前記商品の価格を割り算することにより得られる、前記商品の１回の使用に応じた使用当たり価格が算出され、前記商品に対応して基礎物品及びその価格が予め決められており、当該基礎物品の価格で前記使用当たり価格を割り算することで、前記使用当たり価格に前記基礎物品が相当する数である基礎物品相当数が算出され、前記使用回数だけ前記商品が使用された場合、１回の使用当たりの前記商品の価格が前記基礎物品の前記基礎物品相当数分に相当することを表示させる表示データが含まれる前記ウェブページのデータが前記ユーザの端末装置に送信される。
【発明の効果】
【００１９】
以上のように、本発明の一側面によれば、閲覧した商品の価格の計算単位を変化させて表示することができる。
【００２０】
また、本発明の第１の側面によれば、繰り返し閲覧した商品の価格の計算単位を変化させて表示することにより、ユーザに商品の価値を実感させやすくすることができる。
【００２１】
さらにまた、本発明の第２の側面によれば、繰り返し閲覧した商品の価格の計算単位を変化させて表示することにより、ユーザに商品の価値を実感させやすくすることができる。
【図面の簡単な説明】
【００２２】
【図１】本発明の一実施の形態の情報提供システムの構成を示す図である。
【図２】サーバ１１のハードウェアの構成例を示すブロック図である。
【図３】サーバ１１において実現される機能の構成の例を示すブロック図である。
【図４】商品データベース６６に記録されているデータの例を示す図である。
【図５】ウェブページの提供の処理の例を説明するフローチャートである。
【図６】ウェブページの例を示す図である。
【図７】ウェブページの例を示す図である。
【図８】サーバ１１において実現される機能の構成の他の例を示すブロック図である。
【図９】ウェブページの提供の処理の他の例を説明するフローチャートである。
【図１０】サーバ１１において実現される機能の構成のさらに他の例を示すブロック図である。
【図１１】ウェブページの提供の処理のさらに他の例を説明するフローチャートである。
【発明を実施するための形態】
【００２３】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２４】
本発明の第１の側面の情報提供装置は、所定の商品を販売するための所定のウェブページが所定のユーザによって過去に閲覧されたか否かを判定する判定手段（例えば、図３の判定部８１）と、判定手段において前記ウェブページが前記ユーザによって過去に閲覧されていないと判定された場合、前記商品に対応して予め決められている、前記商品を使用することが可能であると予測される使用可能期間（例えば、耐用年数）に対する前記使用可能期間より短い第１の区間（例えば、１年間）の割合と、前記商品の価格とを乗算することにより得られる、前記第１の区間に応じた第１の区間価格を算出する価格算出手段（例えば、図３の区間価格計算部８３）と、前記商品に対応して予め基礎物品及びその価格が決められており、当該基礎物品の価格で前記第１の区間価格を割り算することで、前記第１の区間価格を前記基礎物品の相当する数で表す第１の基礎物品相当数を算出する相当数算出手段（例えば、図３の基礎物品相当数計算部８５）と、前記第１の区間当たりの前記商品の価格が前記第１の基礎物品相当数の前記基礎物品に相当することを表示させる表示データが含まれる前記ウェブページのデータを前記ユーザの端末装置に送信する送信手段（例えば、図３のWebサーバ機能６１）とを備え、前記価格算出手段は、判定手段において前記ウェブページが前記ユーザによって過去に閲覧されたと判定された場合、前記使用可能期間に対する前記第１の区間より短い第２の区間（例えば、半年間）の割合と、前記商品の価格とを乗算することにより得られる、前記第２の区間に応じた第２の区間価格を算出し、前記相当数算出手段は、前記基礎物品の価格で前記第２の区間価格を割り算することで、前記第２の区間価格を前記基礎物品の相当する数で表す第２の基礎物品相当数を算出し、前記送信手段は、前記第２の区間当たりの前記商品の価格が前記第２の基礎物品相当数の前記基礎物品に相当することを表示させる表示データが含まれる前記ウェブページのデータを前記ユーザの前記端末装置に送信する。
【００２５】
本発明の第１の側面の情報提供方法は、所定の商品を販売するための所定のウェブページが所定のユーザによって過去に閲覧されたか否かを判定する判定ステップ（例えば、図５のステップＳ１３の手続き）と、前記ウェブページが前記ユーザによって過去に閲覧されていないと判定された場合、前記商品に対応して予め決められている、前記商品を使用することが可能であると予測される使用可能期間（例えば、耐用年数に対する前記使用可能期間より短い第１の区間（例えば、１年間）の割合と、前記商品の価格とを乗算することにより得られる、前記第１の区間に応じた第１の区間価格を算出する価格算出ステップ（例えば、図５のステップＳ２０の手続き）と、前記商品に対応して予め基礎物品及びその価格が決められており、当該基礎物品の価格で前記第１の区間価格を割り算することで、前記第１の区間価格を前記基礎物品の相当する数で表す第１の基礎物品相当数を算出する相当数算出ステップ（例えば、図５のステップＳ２３の手続き）と、前記第１の区間当たりの前記商品の価格が前記第１の基礎物品相当数の前記基礎物品に相当することを表示させる表示データが含まれる前記ウェブページのデータを前記ユーザの端末装置に送信する送信ステップ（例えば、図５のステップＳ２５の手続き）とを含み、前記価格算出ステップにおいて、前記ウェブページが前記ユーザによって過去に閲覧されたと判定された場合、前記使用可能期間に対する前記第１の区間より短い第２の区間（例えば、半年間）の割合と、前記商品の価格とを乗算することにより得られる、前記第２の区間に応じた第２の区間価格が算出され、前記相当数算出ステップにおいて、前記基礎物品の価格で前記第２の区間価格を割り算することで、前記第２の区間価格を前記基礎物品の相当する数で表す第２の基礎物品相当数が算出され、前記送信ステップにおいて、前記第２の区間当たりの前記商品の価格が前記第２の基礎物品相当数の前記基礎物品に相当することを表示させる表示データが含まれる前記ウェブページのデータが前記ユーザの前記端末装置に送信される。
【００２６】
本発明の第１の側面のプログラムは、所定の商品を販売するための所定のウェブページが所定のユーザによって過去に閲覧されたか否かを判定する判定ステップ（例えば、図５のステップＳ１３の手続き）と、前記ウェブページが前記ユーザによって過去に閲覧されていないと判定された場合、前記商品に対応して予め決められている、前記商品を使用することが可能であると予測される使用可能期間（例えば、耐用年数）に対する前記使用可能期間より短い第１の区間（例えば、１年間）の割合と、前記商品の価格とを乗算することにより得られる、前記第１の区間に応じた第１の区間価格を算出する価格算出ステップ（例えば、図５のステップＳ２０の手続き）と、前記商品に対応して予め基礎物品及びその価格が決められており、当該基礎物品の価格で前記第１の区間価格を割り算することで、前記第１の区間価格を前記基礎物品の相当する数で表す第１の基礎物品相当数を算出する相当数算出ステップ（例えば、図５のステップＳ２３の手続き）と、前記第１の区間当たりの前記商品の価格が前記第１の基礎物品相当数の前記基礎物品に相当することを表示させる表示データが含まれる前記ウェブページのデータを前記ユーザの端末装置に送信する送信ステップ（例えば、図５のステップＳ２５の手続き）とを含む処理であって、前記価格算出ステップにおいて、前記ウェブページが前記ユーザによって過去に閲覧されたと判定された場合、前記使用可能期間に対する前記第１の区間より短い第２の区間（例えば、半年間）の割合と、前記商品の価格とを乗算することにより得られる、前記第２の区間に応じた第２の区間価格が算出され、前記相当数算出ステップにおいて、前記基礎物品の価格で前記第２の区間価格を割り算することで、前記第２の区間価格を前記基礎物品の相当する数で表す第２の基礎物品相当数が算出され、前記送信ステップにおいて、前記第２の区間当たりの前記商品の価格が前記第２の基礎物品相当数の前記基礎物品に相当することを表示させる表示データが含まれる前記ウェブページのデータが前記ユーザの前記端末装置に送信される処理をコンピュータに実行させる。
【００２７】
本発明の第２の側面の情報提供装置は、所定の商品を販売するための所定のウェブページが所定のユーザによって閲覧された回数を取得する回数取得手段（例えば、図１０の閲覧回数処理部１６１）と、仮に求める前記商品の使用回数であって、閲覧の回数が増える毎に増加する使用回数で、前記商品の価格を割り算することにより得られる、前記商品の１回の使用に応じた使用当たり価格を算出する価格算出手段（例えば、図１０の使用当たり価格計算部１６３）と、前記商品に対応して予め決められている基礎物品の価格で前記使用当たり価格を割り算することで、前記使用当たり価格を前記基礎物品の相当する数で表す基礎物品相当数を算出する相当数算出手段（例えば、図１０の基礎物品相当数計算部１６４）と、前記使用回数だけ前記商品が使用された場合、１回の使用当たりの前記商品の価格が前記基礎物品相当数の前記基礎物品に相当することを表示させる表示データが含まれる前記ウェブページのデータを前記ユーザの端末装置に送信する送信手段（例えば、図１０のWebサーバ機能６１）とを備える。
【００２８】
本発明の第２の側面の情報提供方法は、所定の商品を販売するための所定のウェブページが所定のユーザによって閲覧された回数を取得する回数取得ステップ（例えば、図１１のステップＳ７２の手続き）と、仮に求める前記商品の使用回数であって、閲覧の回数が増える毎に増加する使用回数で、前記商品の価格を割り算することにより得られる、前記商品の１回の使用に応じた使用当たり価格を算出する価格算出ステップ（例えば、図１１のステップＳ７５の手続き）と、前記商品に対応して予め決められている基礎物品の価格で前記使用当たり価格を割り算することで、前記使用当たり価格を前記基礎物品の相当する数で表す基礎物品相当数を算出する相当数算出ステップ（例えば、図１１のステップＳ７７の手続き）と、前記使用回数だけ前記商品が使用された場合、１回の使用当たりの前記商品の価格が前記基礎物品相当数の前記基礎物品に相当することを表示させる表示データが含まれる前記ウェブページのデータを前記ユーザの端末装置に送信する送信ステップ（例えば、図１１のステップＳ７９の手続き）とを含む。
【００２９】
本発明の第２の側面のプログラムは、所定の商品を販売するための所定のウェブページが所定のユーザによって閲覧された回数を取得する回数取得ステップ（例えば、図１１のステップＳ７２の手続き）と、仮に求める前記商品の使用回数であって、閲覧の回数が増える毎に増加する使用回数で、前記商品の価格を割り算することにより得られる、前記商品の１回の使用に応じた使用当たり価格を算出する価格算出ステップ（例えば、図１１のステップＳ７５の手続き）と、前記商品に対応して予め決められている基礎物品の価格で前記使用当たり価格を割り算することで、前記使用当たり価格を前記基礎物品の相当する数で表す基礎物品相当数を算出する相当数算出ステップ（例えば、図１１のステップＳ７７の手続き）と、前記使用回数だけ前記商品が使用された場合、１回の使用当たりの前記商品の価格が前記基礎物品相当数の前記基礎物品に相当することを表示させる表示データが含まれる前記ウェブページのデータを前記ユーザの端末装置に送信する送信ステップ（例えば、図１１のステップＳ７９の手続き）とを含む処理をコンピュータに実行させる。
【００３０】
図１は、本発明の一実施の形態の情報提供システムの構成を示す図である。情報提供システムは、サーバ１１、インターネット１２、およびユーザ端末装置１３−１乃至１３−３からなる。サーバ１１は、情報提供装置の一例であり、専用サーバ、パーソナルコンピュータ、または仮想サーバなどからなる。サーバ１１は、専用サーバ、パーソナルコンピュータ、または仮想サーバなどの組み合わせからなるシステムであっても良い。
【００３１】
サーバ１１は、インターネット１２を介して、ユーザ端末装置１３−１乃至１３−３のそれぞれに、商品を販売するためのウェブページのデータを提供する。言い換えれば、サーバ１１は、インターネット１２を介して、ユーザ端末装置１３−１乃至１３−３のそれぞれに、商品の販売に関する情報をユーザに提示するためのウェブページのデータを提供する。
【００３２】
また、サーバ１１がデータを提供するウェブページにおいて、販売しようとする商品の価格が、他の物品の相当する数で表される。
【００３３】
ここで、ウェブページにおいて販売しようとする商品の価格を、相当する数で表す基準となる物品を基礎物品と称する。基礎物品には、コーヒーやハンバーガーなど、日常的に繰り返し購入される物品または身近な物品が採用される。なお、基礎物品には、コーヒーの提供やタクシーの運賃など、日常的に受けるサービスを含めるようにしてもよい。図１の情報提供システムにおいて、基礎物品は、商品毎に、予め決められている。
【００３４】
さらに、販売しようとする商品の価格を表す基礎物品の数を基礎物品相当数と称する。
【００３５】
すなわち、サーバ１１は、インターネット１２を介して、ユーザ端末装置１３−１乃至１３−３のそれぞれに、販売しようとする商品の価格が、基礎物品の基礎物品相当数で表されるウェブページのデータを提供する。
【００３６】
インターネット１２は、ネットワークの一例であり、有線または無線の汎用回線または専用回線や、有線または無線の複数のネットワーク、例えば、LAN（Local Area Network）またはWAN（Wide Area Network）などからなる。
【００３７】
ユーザ端末装置１３−１乃至１３−３は、それぞれ、ユーザの操作に応じて、インターネット１２を介してサーバ１１からウェブページのデータを取得して、ウェブページをそれぞれのユーザに提示する。
【００３８】
以下、ユーザ端末装置１３−１乃至１３−３を個々に区別する必要がない場合、単に、ユーザ端末装置１３と称する。
【００３９】
図２は、サーバ１１のハードウェアの構成例を示すブロック図である。
【００４０】
サーバ１１において、CPU（Central Processing Unit）３１，ROM（Read Only Memory）３２，RAM（Random Access Memory）３３は、バス３４により相互に接続されている。
【００４１】
バス３４には、さらに、入出力インタフェース３５が接続されている。入出力インタフェース３５には、キーボード、マウス、マイクロホンなどよりなる入力部３６、ディスプレイ、スピーカなどよりなる出力部３７、ハードディスクや不揮発性のメモリなどよりなる記憶部３８、ネットワークインタフェースなどよりなる通信部３９、磁気ディスク、光ディスク、光磁気ディスク、或いは半導体メモリなどのリムーバブルメディア４１を駆動するドライブ４０が接続されている。
【００４２】
以上のように構成されるサーバ１１（コンピュータ）では、CPU３１が、例えば、記憶部３８に記憶されているプログラムを、入出力インタフェース３５及びバス３４を介して、RAM３３にロードして実行することにより、後述する一連の処理が行われる。
【００４３】
サーバ１１（CPU３１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア４１に記録して、あるいは、ローカルエリアネットワーク、インターネット１２、デジタル衛星放送といった、有線または無線の伝送媒体を介して提供される。
【００４４】
そして、プログラムは、リムーバブルメディア４１をドライブ４０に装着することにより、入出力インタフェース３５を介して、記憶部３８に記憶することで、コンピュータにインストールすることができる。また、プログラムは、有線または無線の伝送媒体を介して、通信部３９で受信し、記憶部３８に記憶することで、コンピュータにインストールすることができる。その他、プログラムは、ROM３２や記憶部３８にあらかじめ記憶しておくことで、コンピュータにあらかじめインストールしておくことができる。
【００４５】
図３は、プログラムを実行するサーバ１１において実現される機能の構成の例を示すブロック図である。すなわち、サーバ１１がプログラムを実行すると、Webサーバ機能６１、ページデータ生成部６２、認証部６３、相当数表示制御部６４、ユーザデータベース６５、商品データベース６６、および閲覧履歴データベース６７が実現される。
【００４６】
Webサーバ機能６１は、例えば、Apache HTTP Serverなどの、いわゆるWebサーバプログラムを実行することにより実現され、HTTP（Hypertext Transfer Protocol）に規定される手順に基づいて、テキストまたは画像などの各種のオブジェクトが含まれるHTML（Hypertext Markup Language）方式またはXML（Extensible Markup Language）方式などのウェブページのデータを提供する。
【００４７】
ページデータ生成部６２は、Webサーバ機能６１によって提供される、ウェブページのデータを生成する。
【００４８】
認証部６３は、ユーザのユーザIDおよびパスワードを照合して、ユーザが正当であるか否かを認証する。
【００４９】
相当数表示制御部６４は、商品に対応して予め決められている基礎物品の価格から基礎物品相当数を算出し、商品の価格が基礎物品相当数の基礎物品に相当することを表示させる表示データを生成して、ページデータ生成部６２に供給する。ページデータ生成部６２は、この表示データが相当数表示制御部６４から供給された場合、ウェブページのデータに表示データを含める。
【００５０】
より詳しく説明すると、相当数表示制御部６４は、商品の耐用年数のうちのある長さの区間（期間）について、その区間（期間）の長さに応じた商品の価格を計算し、その区間についての商品の価格と基礎物品の価格とから基礎物品相当数を算出する。
【００５１】
例えば、商品の本来の価格が１０万円であり、その商品の耐用年数が１０年であるとすると、購入した商品を１０年間使用することが可能であると予測できる。すなわち、その商品を購入すれば１０年間使い続けることができると期待できるので、その商品を購入することは、１０年間中のそれぞれの１年間においてその商品を使用することについて、１万円ずつ支払ったことと同等であると考えることもできる。同様に、商品の耐用年数の期間の中の所定の長さの区間を考えると、商品の価格に、耐用年数に対するその区間の長さの比率を乗じることで、その商品にその区間について支払う価格を考えることができる。
【００５２】
ここで、商品の耐用年数は、商品を使用することが可能である（使用に耐える）と予測される期間である使用可能期間の一例である。
【００５３】
相当数表示制御部６４には、判定部８１、区間数計算部８２、区間価格計算部８３、区間長計算部８４、基礎物品相当数計算部８５、表示データ生成部８６、および閲覧回数記録制御部８７が含まれる。
【００５４】
判定部８１は、閲覧履歴データベース６７を参照して、所定の商品を販売するための所定のウェブページが所定のユーザによって過去に閲覧されたか否かを判定する。区間数計算部８２は、所定のウェブページが所定のユーザによって過去に閲覧された回数に応じて、区間数を計算する。ここで、区間数は、商品の耐用年数の期間より短い第１の区間（例えば、１年間）以下の所定の長さの区間で、第１の区間を分割したときに得られる区間の数である。例えば、区間数計算部８２は、ウェブページの閲覧された回数に予め定めた関数を適用することにより、区間数を計算する。
【００５５】
区間価格計算部８３は、耐用年数の第１の区間あたりの商品の価格を区間数で割り算することで、区間に応じた商品の価格である区間価格を計算する。
【００５６】
区間長計算部８４は、第１の区間を区間数で割り算することで、区間の長さである区間長さを計算する。基礎物品相当数計算部８５は、区間価格を基礎物品の価格で割り算することで、区間価格を基礎物品の相当する数（区間価格が基礎物品何個分に相当するかを表す数）で表す基礎物品相当数を算出する。
【００５７】
表示データ生成部８６は、区間価格が基礎物品相当数の基礎物品に相当することを表示させる表示データを生成する。閲覧回数記録制御部８７は、所定のウェブページが所定のユーザによって過去に閲覧された回数を閲覧履歴データベース６７から読み出す。また、閲覧回数記録制御部８７は、所定のウェブページが所定のユーザによって閲覧された回数を更新して、その回数を閲覧履歴データベース６７に記録させる。
【００５８】
ユーザデータベース６５は、それぞれのユーザに関するデータを格納する。すなわち、ユーザデータベース６５は、ユーザの、氏名、住所、電話番号、電子メールアドレス、それぞれのユーザを特定するユーザID、およびログインするためのパスワードなどをユーザ毎に記録する。
【００５９】
商品データベース６６は、商品に関するデータを格納する。より詳しく説明すれば、商品データベース６６は、商品を特定する商品ID、商品の価格（以下、商品価格とも称する）、商品の耐用年数、商品の耐用年数の第１の区間、商品に対応する基礎物品の名前（以下、基礎物品名とも称する）、基礎物品の価格（以下、基礎物品価格とも称する）、基礎物品の画像（以下、基礎物品画像とも称する）などを格納する。
【００６０】
図４は、商品データベース６６に記録されているデータの例を示す図である。図４に示される例において、商品データベース６６には、ウェブページを特定するページID、そのウェブページに掲載されている商品の名前である商品名、その商品を製造するメーカ名、その商品を特定する商品ID、その商品の商品価格、その商品の耐用年数、その商品に対応付けられている基礎物品の名前である基礎物品名、基礎物品の価格である基礎物品価格、および基礎物品画像（または基礎物品画像が格納されているファイル名）などが格納されている。すなわち、例えば、商品データベース６６には、aaaであるページID、ｘビジョンである商品名、panyであるメーカ名、dddである商品ID、100,000円である商品価格、１０年である耐用年数、コーヒーである基礎物品名、300円である基礎物品価格、gggである基礎物品画像のファイル名が格納されている。これにより、aaaであるページIDで特定されるウェブページに掲載されている、dddである商品IDで特定される商品である、pany製のｘビジョンの価格と耐用年数が、それぞれ、100,000円および１０年であり、この商品に対応する基礎物品は、300円のコーヒーであることがわかる。
【００６１】
同様に、例えば、商品データベース６６には、cccであるページID、バッグである商品名、バトンであるメーカ名、fffである商品ID、30,000円である商品価格、８年である耐用年数、ハンバーガーである基礎物品名、200円である基礎物品価格、hhhである基礎物品画像のファイル名が格納されている。これにより、cccであるページIDで特定されるウェブページに掲載されている、fffである商品IDで特定される商品である、バトン製のバッグの価格と耐用年数が、それぞれ、30,000円および８年であり、この商品に対応する基礎物品は、200円のハンバーガーであることがわかる。
【００６２】
図３に戻り、閲覧履歴データベース６７は、ウェブページおよびユーザ毎に、ウェブページが閲覧された履歴を格納する。より詳細には、閲覧履歴データベース６７は、ウェブページを特定するページID、ウェブページを閲覧したユーザを特定するユーザID、ウェブページを閲覧した日時、ウェブページが閲覧された回数、ウェブページに掲載されている商品を特定する商品ID、例えば１年間である計算期間、および商品IDで特定される商品の計算期間当たりの価格（以下、期間単価と称する）などを格納する。
【００６３】
なお、ユーザデータベース６５、商品データベース６６、および閲覧履歴データベース６７は、それぞれ、オペーレーティングシステムによって提供されるファイルシステム上に直接構築されるものであっても、データベース管理システムを用いて構築されるものであってもよい。また、ユーザデータベース６５、商品データベース６６、および閲覧履歴データベース６７のうち、いずれかを組み合わせて、１つのデータベースとするようにしてもよい。
【００６４】
次に、認証部６３によって正当なユーザであると認証されて、ログインしているユーザに対して、商品を販売するウェブページを提供するサーバ１１の処理について説明する。
【００６５】
図５は、ウェブページの提供の処理の例を説明するフローチャートである。ステップＳ１１において、Webサーバ機能６１は、ネットワークインタフェースである通信部３９を制御して、ユーザのユーザ端末装置１３からの所定の商品を販売するウェブページのリクエストを受信し、そのリクエストを受け付ける。Webサーバ機能６１は、相当数表示制御部６４に商品を販売するウェブページがリクエストされた旨を通知する。ステップＳ１２において、相当数表示制御部６４の閲覧回数記録制御部８７は、リクエストされたウェブページのページIDおよびログインしているユーザのユーザIDをキーとして、リクエストされたウェブページがユーザに閲覧された回数を閲覧履歴データベース６７から読み出す。
【００６６】
ステップＳ１３において、相当数表示制御部６４の判定部８１は、閲覧履歴データベース６７から読み出された閲覧された回数を参照して、そのユーザがリクエストされたウェブページを閲覧したことがあるか否かを判定する。すなわち、ステップＳ１３において、判定部８１は、所定の商品を販売するための所定のウェブページが所定のユーザによって過去に閲覧されたか否かを判定する。
【００６７】
ステップＳ１３において、そのユーザがリクエストされたウェブページを閲覧したことがないと判定された場合（ウェブページがユーザによって過去に閲覧されていないと判定された場合）、そのユーザがリクエストされたウェブページを初めて閲覧するので、手続きはステップＳ１４に進み、区間価格計算部８３は、商品データベース６６から、リクエストされたウェブページを特定するページIDおよび商品IDをキーとして、そのウェブページに掲載される商品の価格と耐用年数とを読み出す。
【００６８】
なお、リクエストされたウェブページに複数の商品が掲載される場合には、それぞれの商品の価格と耐用年数とが読み出されて、複数の商品のそれぞれについて、以下の処理が実行される。
【００６９】
ステップＳ１５において、区間価格計算部８３は、耐用年数を第１の区間で割って得られる数で商品の価格を割り算することで、耐用年数の第１の区間（ここでは、１年）当たりの商品の価格である期間単価を計算する。ステップＳ１６において、区間価格計算部８３は、リクエストされたウェブページを特定するページIDと商品IDと期間単価とを対応付けて、閲覧履歴データベース６７に格納する。ステップＳ１７において、区間数計算部８２は、区間数を１にして、手続きはステップＳ２０に進む。
【００７０】
一方、ステップＳ１３において、そのユーザがリクエストされたウェブページを閲覧したことがあると判定された場合（ウェブページがユーザによって過去に閲覧されたと判定された場合）、手続きはステップＳ１８に進み、区間価格計算部８３は、閲覧履歴データベース６７から、リクエストされたウェブページを特定するページIDと商品IDとに対応する期間単価を読み出す。
【００７１】
ステップＳ１９において、区間数計算部８２は、ウェブページが閲覧された回数に所定の関数を適用して、１より多い区間数を計算して、手続きはステップＳ２０に進む。例えば、区間数計算部８２は、ウェブページが閲覧された回数に１を加算することで、区間数を計算する。また、例えば、区間数計算部８２は、予め定められた配列（1,2,4,12,26,52,365,・・・）から、ウェブページが閲覧された回数と同じ要素番号の要素を抽出して、抽出された要素を区間数とする。
【００７２】
ステップＳ２０において、区間価格計算部８３は、期間単価を区間数で割り算して得られた値を区間価格とする。ステップＳ２１において、区間長計算部８４は、第１の区間（１年間）を区間数で割り算して得られた値を区間長さとする。例えば、区間数が、それぞれ、1,2,3,4,5である場合、区間長さは、それぞれ、１年間、半年間（１／２年間）、４月間（１／３年）、３月間（１／４年間）、２．４月（１／５年間）とされる。例えば、区間数が、それぞれ、1,2,4,12,26,52,365である場合、区間長さは、それぞれ、１年間、半年間（１／２年間）、３月間（１／４年間）、１月間（１／１２年間）、２週間（１／２６年間）、１週間（１／５２年間）、１日（１／３６５年間）とされる。
【００７３】
ステップＳ２２において、基礎物品相当数計算部８５は、商品データベース６６から、リクエストされたウェブページで販売される商品の商品IDに対応する、基礎物品の名前と基礎物品の価格とを読み出す。ステップＳ２３において、基礎物品相当数計算部８５は、ステップＳ２０で求められた区間価格を基礎物品の価格で割り算して得られた値を基礎物品相当数とする。
【００７４】
ステップＳ２４において、表示データ生成部８６は、区間長さ当たりの商品の価格が、基礎物品の基礎物品相当数分に相当することを表示するためのデータを生成する。表示するためのデータは、例えば基礎物品名、基礎物品価格、区間長さ、基礎物品相当数、及び基礎物品画像（または基礎物品画像が格納されているファイル名）を含む。表示データ生成部８６は、生成したデータをページデータ生成部６２に供給する。ページデータ生成部６２は、本来のウェブページのデータに、相当数表示制御部６４の表示データ生成部８６から供給されたデータを含める。ページデータ生成部６２は、区間長さ当たりの商品の価格が、基礎物品の基礎物品相当数分に相当することを表示するためのデータを含む、ウェブページのデータをWebサーバ機能６１に供給する。
【００７５】
ステップＳ２５において、Webサーバ機能６１は、ネットワークインタフェースである通信部３９を制御して、リクエストされたウェブページのデータを、インターネット１２を介して、リクエストしてきたユーザのユーザ端末装置１３宛てに送信する。
【００７６】
ステップＳ２６において、閲覧回数記録制御部８７は、リクエストされたウェブページがユーザに閲覧された回数を１だけインクリメントする。ステップＳ２７において、閲覧回数記録制御部８７は、ページIDとユーザIDとに対応付けて、インクリメントされた閲覧された回数を閲覧履歴データベース６７に格納して、ウェブページの提供の処理は終了する。
【００７７】
例えば、図４に例示されている、dddである商品IDで特定される、pany製のｘビジョンが掲載されているウェブページが初めてユーザに閲覧された場合、区間数が１とされ、区間価格が10,000円とされ、300円のコーヒーが基礎物品とされるので、その基礎物品相当数は、３３．３杯とされる。従って、図６に示されるように、100,000円である商品価格と共に、１年間である区間長さ、300円である基礎物品価格、コーヒーである基礎物品名、および３３．３杯である基礎物品相当数、並びに３３．３杯分の基礎物品の画像（図６中のコーヒーカップの画像）が、pany製のｘビジョンが掲載されているウェブページＰ１に表示されることになる。
【００７８】
さらに、ユーザが同じウェブページを再度閲覧すると、例えば、区間数が２とされるので、区間価格が5,000円とされ、300円のコーヒーが基礎物品とされるので、その基礎物品相当数は、１６．７杯とされる。従って、図７に示されるように、100,000円である商品価格と共に、半年間である区間長さ、300円である基礎物品価格、コーヒーである基礎物品名、および１６．７杯である基礎物品相当数、並びに１６．７杯分の基礎物品の画像（図７中のコーヒーカップの画像）が、pany製のｘビジョンが掲載されているウェブページＰ２に表示されることになる。
【００７９】
例えば、図６または図７に示されるウェブページが繰り返し閲覧される場合、ステップＳ１９において、区間数計算部８２が、予め定められた配列（1,2,4,12,26,52,365,・・・）から、ウェブページが閲覧された回数と同じ要素番号の要素を抽出して、抽出された要素を区間数とするとき、ウェブページが３回目に閲覧されたときには、３月間である区間長さ、300円である基礎物品価格、コーヒーである基礎物品名、および８．３杯である基礎物品相当数、並びに８．３杯分の基礎物品の画像（コーヒーカップの画像）が表示され、ウェブページが４回目に閲覧されたときには、１月間である区間長さ、300円である基礎物品価格、コーヒーである基礎物品名、および２．８杯である基礎物品相当数、並びに２．８杯分の基礎物品の画像（コーヒーカップの画像）が表示され、ウェブページが５回目に閲覧されたときには、２週間である区間長さ、300円である基礎物品価格、コーヒーである基礎物品名、および１．３杯である基礎物品相当数、並びに１．３杯分の基礎物品の画像（コーヒーカップの画像）が表示される。なお、端数分のコーヒーカップの画像として、一杯分のコーヒーカップの画像に対して端数分の割合だけ切り取った画像が、表示データ生成部において得られる。
【００８０】
また同様に、このウェブページが６回目に閲覧されたときには、１週間である区間長さ、300円である基礎物品価格、コーヒーである基礎物品名、および０．６杯である基礎物品相当数、並びに０．６杯分の基礎物品の画像（コーヒーカップの画像）が表示され、ウェブページが７回目に閲覧されたときには、１日間である区間長さ、300円である基礎物品価格、コーヒーである基礎物品名、および０．１杯である基礎物品相当数、並びに０．１杯分の基礎物品の画像（コーヒーカップの画像）が表示される。
【００８１】
このように、閲覧した商品の価格の計算単位を変化させて表示することができる。また、繰り返し閲覧した商品の価格の計算単位を変化させて表示することにより、ユーザに商品の価値を実感させやすくすることができる。
【００８２】
何度も何度も、商品を販売するウェブページを閲覧しているユーザは、その商品等の購入を迷っていると考えられる。そこで、商品の購入を迷っているユーザに対して、基礎物品相当数を徐々に小さくすることで、そのユーザに「意外と安い」と実感させることができる。
【００８３】
なお、ステップＳ１３において、相当数表示制御部６４の判定部８１は、１月間、1週間、または1日間など、過去の所定の期間において、そのユーザがリクエストされたウェブページを閲覧したことがあるか否かを判定するようにしてもよい。
【００８４】
図８は、プログラムを実行するサーバ１１において実現される機能の構成の他の例を示すブロック図である。すなわち、サーバ１１がプログラムを実行すると、Webサーバ機能６１、ページデータ生成部６２、認証部６３、相当数表示制御部１０１、ユーザデータベース６５、商品データベース６６、および閲覧履歴データベース６７が実現される。図８に示される、Webサーバ機能６１、ページデータ生成部６２、認証部６３、ユーザデータベース６５、商品データベース６６、および閲覧履歴データベース６７は、それぞれ、図３に示される場合と同様なので、その説明は省略する。
【００８５】
相当数表示制御部１０１は、商品の耐用年数のうちのある長さの区間（期間）において１回商品を使用したと仮定して、その１回当たりの使用に応じた商品の価格を計算し、その１回当たりの使用に応じた商品の価格と基礎物品の価格とから基礎物品相当数を算出する。
【００８６】
例えば、商品の本来の価格が１０万円であり、商品の耐用年数が１０年であるとすると、購入した商品を１０年間使用することが可能であると予測できる。すなわち、その商品を購入すれば１０年間使い続けることができると期待できるので、その商品を購入することは、１０年間中のそれぞれの１年において１回ずつその商品を使用する場合には、その１回の使用に１万円ずつ支払うことであると考えても良い。同様に、商品の耐用年数の期間の中の使用間隔を考えて、商品の価格に、耐用年数に対するその使用間隔の比率を乗じることで、その使用間隔毎のその商品の１回当たりの使用について支払う価格を考えることができる。
【００８７】
相当数表示制御部１０１には、判定部１２１、使用回数計算部１２２、使用当たり価格計算部１２３、使用間隔計算部１２４、基礎物品相当数計算部１２５、表示データ生成部１２６、および閲覧回数記録制御部１２７が含まれる。
【００８８】
判定部１２１は、所定の商品を販売するための所定のウェブページが所定のユーザによって過去に閲覧されたか否かを判定する。使用回数計算部１２２は、所定のウェブページが所定のユーザによって過去に閲覧された回数に応じて、仮定の使用回数を計算する。使用当たり価格計算部１２３は、耐用年数の第１の区間（本実施形態では、１年間）あたりの商品の価格を、仮定した使用回数で割り算することで、使用回数に応じた商品の価格である使用当たり価格を計算する。
【００８９】
使用間隔計算部１２４は、第１の区間（本実施形態では、１年間）を使用回数で割り算することで、使用間隔を計算する。基礎物品相当数計算部１２５は、使用当たり価格を基礎物品の価格で割り算することで、基礎物品相当数を算出する。表示データ生成部１２６は、使用間隔と、使用当たり価格が基礎物品相当数の基礎物品に相当することを表示させる表示データを生成する。閲覧回数記録制御部１２７は、所定のウェブページが所定のユーザによって過去に閲覧された回数を求めて、その回数を閲覧履歴データベース６７に記録させる。
【００９０】
図９は、ウェブページの提供の処理の他の例を説明するフローチャートである。ステップＳ４１において、Webサーバ機能６１は、ネットワークインタフェースである通信部３９を制御して、ユーザのユーザ端末装置１３からの所定の商品を販売するウェブページのリクエストを受信し、そのリクエストを受け付ける。Webサーバ機能６１は、相当数表示制御部１０１に商品を販売するウェブページがリクエストされた旨を通知する。ステップＳ４２において、相当数表示制御部１０１の閲覧回数記録制御部１２７は、リクエストされたウェブページのページIDおよびログインしているユーザのユーザIDをキーとして、リクエストされたウェブページがユーザに閲覧された回数を閲覧履歴データベース６７から読み出す。
【００９１】
ステップＳ４３において、相当数表示制御部１０１の判定部１２１は、閲覧履歴データベース６７から読み出した閲覧された回数を参照して、そのユーザがリクエストされたウェブページを閲覧したことがあるか否かを判定する。すなわち、ステップＳ４３において、判定部１２１は、所定の商品を販売するための所定のウェブページが所定のユーザによって過去に閲覧されたか否かを判定する。
【００９２】
ステップＳ４３において、そのユーザがリクエストされたウェブページを閲覧したことがないと判定された場合（ウェブページがユーザによって過去に閲覧されていないと判定された場合）、手続きはステップＳ４４に進み、使用当たり価格計算部１２３は、商品データベース６６から、リクエストされたウェブページを特定するページIDおよび商品IDをキーとして、そのウェブページの商品の価格と耐用年数とを読み出す。
【００９３】
なお、リクエストされたウェブページに複数の商品が掲載される場合には、それぞれの商品の価格と耐用年数とが読み出されて、複数の商品のそれぞれについて、以下の処理が実行される。
【００９４】
ステップＳ４５において、使用当たり価格計算部１２３は、耐用年数を第１の区間で割って得られる数で商品の価格を割り算することで、耐用年数の第１の区間（本実施形態では、１年）当たりの商品の価格である期間単価を計算する。ステップＳ４６において、使用当たり価格計算部１２３は、リクエストされたウェブページを特定するページIDと商品IDと期間単価とを対応付けて、閲覧履歴データベース６７に格納する。ステップＳ４７において、使用回数計算部１２２は、使用回数を１にして、手続きはステップＳ５０に進む。
【００９５】
一方、ステップＳ４３において、そのユーザがリクエストされたウェブページを閲覧したことがあると判定された場合（ウェブページがユーザによって過去に閲覧されたと判定された場合）、手続きはステップＳ４８に進み、使用当たり価格計算部１２３は、閲覧履歴データベース６７から、リクエストされたウェブページを特定するページIDと商品IDとに対応する期間単価を読み出す。
【００９６】
ステップＳ４９において、使用回数計算部１２２は、ウェブページが閲覧された回数に所定の関数を適用して、１より多い使用回数を計算して、手続きはステップＳ５０に進む。例えば、使用回数計算部１２２は、ウェブページが閲覧された回数に１を加算することで、使用回数を計算する。また、例えば、使用回数計算部１２２は、予め定められた配列（1,2,12,26,52,104,・・・）から、ウェブページが閲覧された回数と同じ要素番号の要素を抽出して、抽出された要素を使用回数とする。
【００９７】
ステップＳ５０において、使用当たり価格計算部１２３は、期間単価を使用回数で割り算して得られる値を使用当たり価格とする。ステップＳ５１において、使用間隔計算部１２４は、第１の区間（本実施形態では、１年間）を使用回数で割り算して得られる値を使用間隔とする。例えば、使用回数が、それぞれ、1,2,12,26,52,104である場合、使用間隔は、それぞれ、１年間、半年間、１月間、２週間、１週間、１／２週間とされる。
【００９８】
ステップＳ５２において、基礎物品相当数計算部１２５は、商品データベース６６から、リクエストされたウェブページで販売される商品の商品IDに対応する、基礎物品の名前と基礎物品の価格とを読み出す。ステップＳ５３において、基礎物品相当数計算部１２５は、ステップＳ５０で求められた使用当たり価格を基礎物品の価格で割り算して得られる値を基礎物品相当数とする。
【００９９】
ステップＳ５４において、表示データ生成部１２６は、使用間隔と、1回の使用当たりの商品の価格が、基礎物品の基礎物品相当数分に相当することを表示するためのデータを生成する。表示データ生成部１２６は、生成したデータをページデータ生成部６２に供給する。ページデータ生成部６２は、本来のウェブページのデータに、相当数表示制御部１０１の表示データ生成部１２６から供給されたデータを含める。ページデータ生成部６２は、使用間隔と、1回の使用当たりの商品の価格が、基礎物品の基礎物品相当数分に相当することとを表示するためのデータを含む、ウェブページのデータをWebサーバ機能６１に供給する。
【０１００】
ステップＳ５５において、Webサーバ機能６１は、ネットワークインタフェースである通信部３９を制御して、リクエストされたウェブページのデータを、インターネット１２を介して、リクエストしてきたユーザのユーザ端末装置１３宛てに送信する。
【０１０１】
ステップＳ５６において、閲覧回数記録制御部１２７は、リクエストされたウェブページがユーザに閲覧された回数を１だけインクリメントする。ステップＳ５７において、閲覧回数記録制御部１２７は、ページIDとユーザIDとに対応付けて、インクリメントされた閲覧された回数を閲覧履歴データベース６７に格納して、ウェブページの提供の処理は終了する。
【０１０２】
例えば、図４に例示されている、eeeである商品IDで特定される、ガネル製のドレスが掲載されているウェブページが初めてユーザに閲覧された場合、使用回数が１とされ、使用間隔が１年とされ、使用当たり価格が10,000円とされ、300円のコーヒーが基礎物品とされるので、その基礎物品相当数は、３３．３杯とされる。従って、100,000円である商品価格と共に、１年間である使用間隔（もしくは、１年間に使用される回数である１回）、300円である基礎物品価格、コーヒーである基礎物品名、および３３．３杯である基礎物品相当数、並びに３３．３杯分の基礎物品の画像（コーヒーカップの画像）が、ガネル製のドレスが掲載されているウェブページに表示されることになる。
【０１０３】
さらに、ユーザが同じウェブページを再度閲覧すると、例えば、使用回数が２とされるので、使用間隔が１年とされ、使用当たり価格が5,000円とされ、300円のコーヒーが基礎物品とされるので、その基礎物品相当数は、１６．７杯とされる。従って、100,000円である商品価格と共に、半年間である使用間隔（もしくは、１年間に使用される回数である２回）、300円である基礎物品価格、コーヒーである基礎物品名、および１６．７杯である基礎物品相当数、並びに１６．７杯分の基礎物品の画像（コーヒーカップの画像）が、ガネル製のドレスが掲載されているウェブページに表示されることになる。
【０１０４】
例えば、このウェブページが繰り返し閲覧される場合、ステップＳ４９において、使用回数計算部１２２が、予め定められた配列（1,2,12,26,52,104,・・・）から、ウェブページが閲覧された回数と同じ要素番号の要素を抽出して、抽出された要素を使用回数とするとき、ウェブページが３回目に閲覧されたときには、１月間である使用間隔（もしくは、１年間に使用される回数である１２回）、300円である基礎物品価格、コーヒーである基礎物品名、および２．８杯である基礎物品相当数、並びに２．８杯分の基礎物品の画像（コーヒーカップの画像）が表示され、ウェブページが４回目に閲覧されたときには、2週間である使用間隔（もしくは、１年間に使用される回数である２６回）、300円である基礎物品価格、コーヒーである基礎物品名、および１．３杯である基礎物品相当数、並びに１．３杯分の基礎物品の画像（コーヒーカップの画像）が表示され、ウェブページが５回目に閲覧されたときには、１週間である使用間隔（もしくは、１年間に使用される回数である５２回）、300円である基礎物品価格、コーヒーである基礎物品名、および０．６杯である基礎物品相当数、並びに０．６杯分の基礎物品の画像（コーヒーカップの画像）が表示される。
【０１０５】
また同様に、このウェブページが６回目に閲覧されたときには、１／２週間である使用間隔（もしくは、１年間に使用される回数である１０４回）、300円である基礎物品価格、コーヒーである基礎物品名、および０．３杯である基礎物品相当数、並びに０．３杯分の基礎物品の画像（コーヒーカップの画像）が表示される。
【０１０６】
このように、所定の使用間隔毎の使用した場合について、基礎物品相当数が表示されることになるので、ユーザが1回の使用についての価値をイメージしやすくなる。
【０１０７】
なお、ステップＳ４３において、相当数表示制御部１０１の判定部１２１は、１月間、1週間、または1日間など、過去の所定の期間において、そのユーザがリクエストされたウェブページを閲覧したことがあるか否かを判定するようにしてもよい。
【０１０８】
図１０は、プログラムを実行するサーバ１１において実現される機能の構成のさらに他の例を示すブロック図である。すなわち、サーバ１１がプログラムを実行すると、Webサーバ機能６１、ページデータ生成部６２、認証部６３、相当数表示制御部１４１、ユーザデータベース６５、商品データベース６６、および閲覧履歴データベース６７が実現される。図１０に示される、Webサーバ機能６１、ページデータ生成部６２、認証部６３、ユーザデータベース６５、商品データベース６６、および閲覧履歴データベース６７は、それぞれ、図３に示される場合と同様なので、その説明は省略する。
【０１０９】
相当数表示制御部１４１は、商品の使用回数を仮定して、その１回当たりの使用に応じた商品の価格を計算し、その１回当たりの使用に応じた商品の価格と基礎物品の価格とから基礎物品相当数を算出する。
【０１１０】
例えば、本来の価格が１０万円である商品を購入して、その商品を１０回使用する場合には、その商品の１回の使用に１万円ずつ支払ったと考えることもできる。同様に、商品の使用回数を考えると、商品の価格を使用回数で割り算することで、その商品の１回当たりの使用について支払う価格を考えることができる。
【０１１１】
相当数表示制御部１４１には、閲覧回数処理部１６１、使用回数計算部１６２、使用当たり価格計算部１６３、基礎物品相当数計算部１６４、および表示データ生成部１６５が含まれる。
【０１１２】
閲覧回数処理部１６１は、所定のウェブページが所定のユーザによって過去に閲覧された回数を求めて、その回数を閲覧履歴データベース６７に記録させる。
【０１１３】
使用回数計算部１６２は、所定のウェブページが所定のユーザによって過去に閲覧された回数に応じて、仮定の使用回数を計算する。使用当たり価格計算部１６３は、商品の価格を仮定した使用回数で割り算することで、1回の使用当たりの商品の価格である使用当たり価格を計算する。
【０１１４】
基礎物品相当数計算部１６４は、使用当たり価格を基礎物品の価格で割り算することで、基礎物品相当数を算出する。表示データ生成部１６５は、使用回数と、１回の使用当たり価格が基礎物品の基礎物品相当数分に相当することを表示させる表示データを生成する。
【０１１５】
図１１は、ウェブページの提供の処理のさらに他の例を説明するフローチャートである。ステップＳ７１において、Webサーバ機能６１は、ネットワークインタフェースである通信部３９を制御して、ユーザのユーザ端末装置１３からの所定の商品を販売するウェブページのリクエストを受信し、そのリクエストを受け付ける。Webサーバ機能６１は、相当数表示制御部１４１に商品を販売するウェブページがリクエストされた旨を通知する。ステップＳ７２において、相当数表示制御部１４１の閲覧回数処理部１６１は、リクエストされたウェブページのページIDおよびログインしているユーザのユーザIDをキーとして、リクエストされたウェブページがユーザに閲覧された回数を閲覧履歴データベース６７から読み出す。
【０１１６】
なお、ステップＳ７２において、閲覧回数処理部１６１は、１月間、1週間、または1日間など、過去の所定の期間毎に、閲覧履歴データベース６７に格納されているウェブページがユーザに閲覧された回数をリセットする（０にする）ようにして、過去の所定の期間においてウェブページがユーザによって閲覧された回数を取得するようにしてもよい。
【０１１７】
ステップＳ７３において、使用回数計算部１６２は、ウェブページが閲覧された回数に所定の関数を適用して、使用回数を計算する。例えば、使用回数計算部１６２は、予め定められた配列（1,2,5,10,20,50,・・・）から、ウェブページが閲覧された回数と同じ要素番号の要素を抽出して、抽出された要素を使用回数とする。
【０１１８】
ステップＳ７４において、使用当たり価格計算部１６３は、商品データベース６６から、リクエストされたウェブページを特定するページIDおよび商品IDをキーとして、そのウェブページの商品の商品IDに対応する価格を読み出す。
【０１１９】
なお、リクエストされたウェブページに複数の商品が掲載される場合には、それぞれの商品の価格が読み出されて、複数の商品のそれぞれについて、以下の処理が実行される。
【０１２０】
ステップＳ７５において、使用当たり価格計算部１６３は、商品の価格を使用回数で割り算して得られる値を使用当たり価格とする。
【０１２１】
ステップＳ７６において、基礎物品相当数計算部１６４は、商品データベース６６から、リクエストされたウェブページで販売される商品の商品IDに対応する、基礎物品の名前と基礎物品の価格とを読み出す。ステップＳ７７において、基礎物品相当数計算部１６４は、ステップＳ７５で求められた使用当たり価格を基礎物品の価格で割り算して得られる値を基礎物品相当数とする。
【０１２２】
ステップＳ７８において、表示データ生成部１６５は、使用回数と、1回の使用当たりの商品の価格が、基礎物品の基礎物品相当数分に相当することとを表示するためのデータを生成する。表示データ生成部１６５は、生成したデータをページデータ生成部６２に供給する。ページデータ生成部６２は、本来のウェブページのデータに、相当数表示制御部１４１の表示データ生成部１６５から供給されたデータを含める。ページデータ生成部６２は、使用回数と、1回の使用当たりの商品の価格が、基礎物品の基礎物品相当数分に相当することとを表示するためのデータを含む、ウェブページのデータをWebサーバ機能６１に供給する。
【０１２３】
ステップＳ７９において、Webサーバ機能６１は、ネットワークインタフェースである通信部３９を制御して、リクエストされたウェブページのデータを、インターネット１２を介して、リクエストしてきたユーザのユーザ端末装置１３宛てに送信する。
【０１２４】
ステップＳ８０において、閲覧回数処理部１６１は、リクエストされたウェブページがユーザに閲覧された回数を１だけインクリメントする。ステップＳ８１において、閲覧回数処理部１６１は、ページIDとユーザIDとに対応付けて、インクリメントされた閲覧された回数を閲覧履歴データベース６７に格納して、ウェブページの提供の処理は終了する。
【０１２５】
例えば、図４に例示されている、eeeである商品IDで特定される、ガネル製のドレスが掲載されているウェブページが初めてユーザに閲覧された場合、使用回数が１とされ、1回の使用当たり価格が100,000円とされ、300円のコーヒーが基礎物品とされる。従って、その基礎物品相当数は、３３３．３杯とされるので、100,000円である商品価格と共に、１回である使用回数、300円である基礎物品価格、コーヒーである基礎物品名、および３３３．３杯である基礎物品相当数、並びに３３３．３杯分の基礎物品の画像（コーヒーカップの画像）が、ガネル製のドレスが掲載されているウェブページに表示されることになる。
【０１２６】
さらに、ユーザが同じウェブページを再度閲覧すると、例えば、使用回数が２とされるので、1回の使用当たり価格が50,000円とされ、300円のコーヒーが基礎物品とされるので、その基礎物品相当数は、１６６．７杯とされる。従って、100,000円である商品価格と共に、2回である使用回数、300円である基礎物品価格、コーヒーである基礎物品名、および１６６．７杯である基礎物品相当数、並びに１６６．７杯分の基礎物品の画像（コーヒーカップの画像）が、ガネル製のドレスが掲載されているウェブページに表示されることになる。
【０１２７】
例えば、このウェブページが繰り返し閲覧される場合、ステップＳ７３において、使用回数計算部１６２が、予め定められた配列（1,2,5,10,20,50,・・・）から、ウェブページが閲覧された回数と同じ要素番号の要素を抽出して、抽出された要素を使用回数とするとき、ウェブページが３回目に閲覧されたときには、5回である使用回数、300円である基礎物品価格、コーヒーである基礎物品名、および６６．７杯である基礎物品相当数、並びに６６．７杯分の基礎物品の画像（コーヒーカップの画像）が表示され、ウェブページが４回目に閲覧されたときには、１０回である使用回数、300円である基礎物品価格、コーヒーである基礎物品名、および３３．３杯である基礎物品相当数、並びに３３．３杯分の基礎物品の画像（コーヒーカップの画像）が表示され、ウェブページが５回目に閲覧されたときには、２０回である使用回数、300円である基礎物品価格、コーヒーである基礎物品名、および１６．７杯である基礎物品相当数、並びに１６．７杯分の基礎物品の画像（コーヒーカップの画像）が表示される。
【０１２８】
また同様に、このウェブページが６回目に閲覧されたときには、５０回である使用回数、300円である基礎物品価格、コーヒーである基礎物品名、および６．７杯である基礎物品相当数、並びに６．７杯分の基礎物品の画像（コーヒーカップの画像）が表示される。
【０１２９】
このように、所定の回数だけ使用した場合について、基礎物品相当数が表示されることになるので、ユーザが1回の使用についての価値をイメージしやすくなる。
【０１３０】
なお、閲覧履歴データベース６７に、所定のウェブページが所定のユーザによって過去に閲覧された回数が記録され、これを参照して、そのユーザがリクエストされたウェブページを閲覧したことがあるか否かが判定されると説明したが、これに限らず、いわゆるクッキーを利用して、そのユーザがリクエストされたウェブページを閲覧したことがあるか否かが判定されるようにしてもよい。
【０１３１】
以上のように、商品に対応して予め決められている基礎物品の価格で商品の価格を割り算するようにした場合には、閲覧した商品の価格の計算単位を変化させて表示することができる。また、所定の商品を販売するための所定のウェブページが所定のユーザによって過去に閲覧されたか否かを判定し、ウェブページがユーザによって過去に閲覧されていないと判定された場合、商品を使用することが可能であると予測される使用可能期間に対する使用可能期間より短い第１の区間の割合（＝第１の区間／使用可能期間）と、商品の価格とを乗算することにより得られる、第１の区間に応じた第１の区間価格（＝（第１の区間／使用可能期間）×商品の価格）を算出し、商品に対応して予め決められている基礎物品の価格で第１の区間価格を割り算することで、第１の区間価格を基礎物品の相当する数で表す第１の基礎物品相当数を算出し、第１の区間当たりの商品の価格が第１の基礎物品相当数の基礎物品に相当することを表示させる表示データが含まれるウェブページのデータをユーザの端末装置に送信し、ウェブページがユーザによって過去に閲覧されたと判定された場合、使用可能期間と、第１の区間より短い第２の区間との割合で、商品の価格を割り算することにより得られる、第２の区間に応じた第２の区間価格を算出し、基礎物品の価格で第２の区間価格を割り算することで、第２の区間価格を基礎物品の相当する数で表す第２の基礎物品相当数を算出し、第２の区間当たりの商品の価格が第２の基礎物品相当数の基礎物品に相当することを表示させる表示データが含まれるウェブページのデータをユーザの端末装置に送信するようにした場合には、繰り返し閲覧した商品の価格の計算単位を変化させて表示することにより、ユーザに商品の価値を実感させやすくすることができる。
【０１３２】
さらに、所定の商品を販売するための所定のウェブページが所定のユーザによって閲覧された回数を取得し、仮に求める商品の使用回数であって、閲覧の回数が増える毎に増加する使用回数で、商品の価格を割り算することにより得られる、商品の１回の使用に応じた使用当たり価格を算出し、商品に対応して予め決められている基礎物品の価格で使用当たり価格を割り算することで、使用当たり価格を基礎物品の相当する数で表す基礎物品相当数を算出し、使用回数だけ商品が使用された場合、１回の使用当たりの商品の価格が基礎物品相当数の基礎物品に相当することを表示させる表示データが含まれるウェブページのデータをユーザの端末装置に送信するようにした場合には、繰り返し閲覧した商品の価格の計算単位を変化させて表示することにより、ユーザに商品の価値を実感させやすくすることができる。
【０１３３】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０１３４】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１３５】
また、本発明の実施の形態は、上述した実施の形態に限定されるものではなく、本発明の要旨を逸脱しない範囲において種々の変更が可能である。
【符号の説明】
【０１３６】
１１  サーバ，  １２  インターネット，  ３１  CPU，  ３２  ROM，  ３３  RAM，  ３８  記憶部，  ３９  通信部，  ４１  リムーバブルメディア，  ６１  Webサーバ機能，  ６２  ページデータ生成部，  ６３  認証部，  ６４  相当数表示制御部，  ６５  ユーザデータベース，  ６６  商品データベース，  ６７  閲覧履歴データベース，  ８１  判定部，  ８２  区間数計算部，  ８３  区間価格計算部，  ８４  区間長計算部，  ８５  基礎物品相当数計算部，  ８６  表示データ生成部，  ８７  閲覧回数記録制御部，  １０１  相当数表示制御部，  １２１  判定部，  １２２  使用回数計算部，  １２３  使用当たり価格計算部，  １２４  使用間隔計算部，  １２５  基礎物品相当数計算部，  １２６  表示データ生成部，  １２７  閲覧回数記録制御部，  １４１  相当数表示制御部，  １６１  閲覧回数処理部，  １６２  使用回数計算部，  １６３  使用当たり価格計算部，  １６４  基礎物品相当数計算部，  １６５  表示データ生成部
【図１】
2011113497.tif 000003
【図２】
2011113497.tif 000004
【図３】
2011113497.tif 000005
【図４】
2011113497.tif 000006
【図５】
2011113497.tif 000007
【図６】
2011113497.tif 000008
【図７】
2011113497.tif 000009
【図８】
2011113497.tif 000010
【図９】
2011113497.tif 000011
【図１０】
2011113497.tif 000012
【図１１】
2011113497.tif 000013